(57)【要約】【課題】低融点のホットメルト接着剤を用いてネットをタイル裏面に接着したタイルユニットであって、日照等によって高温になってもタイルがネットから剥れたり、タイルユニット同士が融着するブロッキングなどが防止されるタイルユニットを提供する。【解決手段】複数枚の方形のタイル２が、裏面に接着された合成樹脂製ネット３，４によって連結されたタイルユニットであって、該ネット３，４は接着剤によってタイル裏面に接着されているタイルユニットにおいて、該接着剤は融点が５０〜１００℃の反応性ホットメルト接着剤であることを特徴とするタイルユニット。好ましくは、ネット３，４の目開き寸法をタイルユニット１の縦目地の目地幅の１〜２倍とする。【選択図】図１
2013028996.tif 000002
【特許請求の範囲】
【請求項１】
複数枚の方形のタイルが、裏面に接着された合成樹脂製ネットによって連結されたタイルユニットであって、
該ネットは接着剤によってタイル裏面に接着されており、該ネットは、タイルユニットの横目地方向に延在した横糸及び縦目地方向に延在した縦糸よりなるタイルユニットにおいて、
該接着剤は融点が５０〜１００℃の反応性ホットメルト接着剤であることを特徴とするタイルユニット。
【請求項２】
請求項１において、前記ネットの目開き寸法が該タイルユニットの縦目地幅の１〜２倍であることを特徴とするタイルユニット。
【請求項３】
請求項１又は２において、縦長のネットが左右に間隔をあけて複数枚配設されていることを特徴とするタイルユニット。
【請求項４】
請求項３において、該タイルユニットは通し縦目地を有しており、該ネットは、該通し縦目地に跨って上下に延在しており、該ネットの縦糸が該通し縦目地と重ならないように該ネットが配設されていることを特徴とするタイルユニット。
【請求項５】
請求項１ないし４のいずれか１項において、前記ネットの縦糸及び横糸の太さが０．２〜０．４ｍｍであることを特徴とするタイルユニット。
【発明の詳細な説明】
【技術分野】
【０００１】
本発明は、複数枚のタイルをネットによって一体化したタイルユニットに関する。
【背景技術】
【０００２】
複数枚のタイルを整列配置し、各タイルの裏面にネットを接着して複数のタイルを一体化させてなるタイルユニットは周知である。このようなタイルユニットは施工工数の低減において極めて有利であるが、特に、タイル裏面にネットを接着して一体化したタイルユニットは、タイルの表面側に連結用材料を接着して一体化したタイルユニットに比べて、タイルの表面側の凹凸に影響を受けることなく一体化が可能であり、施工後において、連結用材料の除去作業も不要であるといった利点を有する。
【０００３】
特許文献１（特開２００５−２５６４８６）には、枡目状の合成樹脂製のネットを馬踏み目地状に配列されたタイルの裏面に接着してなるタイルユニットが記載されている。特許文献１の０００９段落には、接着剤としてホットメルト接着剤が記載されている。
【先行技術文献】
【特許文献】
【０００４】
【特許文献１】特開２００５−２５６４８６
【発明の概要】
【発明が解決しようとする課題】
【０００５】
ホットメルト接着剤によってネットをタイル裏面に接着する場合、ホットメルト接着剤の融点が低いと、タイルユニットの運搬、保管時等において日照などによってタイルユニットが高温になったときに接着剤が軟化し、タイルがネットから剥れたり、段積みされたタイルユニット同士が融着するブロッキングなどが生じるおそれがある。
【０００６】
ホットメルト接着剤として高融点のものを用いるときには、合成樹脂製ネットとして耐熱性の高いものを採用することが必要となり、コスト高となる。
【０００７】
本発明は、上記従来の問題点を解消し、低融点のホットメルト接着剤を用いてネットをタイル裏面に接着したタイルユニットであって、日照等によって高温になってもタイルがネットから剥れたり、タイルユニット同士が融着するブロッキングなどが防止されるタイルユニットを提供することを目的とする。
【課題を解決するための手段】
【０００８】
本発明のタイルユニットは、複数枚の方形のタイルが、裏面に接着された合成樹脂製ネットによって連結されたタイルユニットであって、該ネットは接着剤によってタイル裏面に接着されており、該ネットは、タイルユニットの横目地方向に延在した横糸及び縦目地方向に延在した縦糸よりなるタイルユニットにおいて、該接着剤は融点が５０〜１００℃の反応性ホットメルト接着剤であることを特徴とするものである。
【０００９】
このネットの目開き寸法は、該タイルユニットの縦目地幅の１〜２倍であることが好ましい。
【００１０】
本発明では、縦長のネットが左右に間隔をあけて複数枚配設されていることが好ましい。
【００１１】
本発明の一態様では、該タイルユニットは通し縦目地を有しており、該ネットは、該通し縦目地を跨って上下に延在しており、該ネットの縦糸が該通し縦目地と重ならないように該ネットが配設されている。
【００１２】
本発明では、ネットの縦糸及び横糸の太さは０．２〜０．４ｍｍであることが好ましい。
【発明の効果】
【００１３】
本発明のタイルユニットにあっては、ネットを融点が１００℃以下の低融点の反応性ホットメルト接着剤によってタイル裏面に接着している。このように、ホットメルト接着剤の融点が低いため、ネットとして耐熱性の低い合成樹脂製のものを用いることができる。この接着剤が反応性ホットメルト接着剤であるところから、タイルユニットが高温になっても接着剤は溶融しない。そのため、タイルユニットからタイルが剥れたり、段積みされたタイルユニット同士が付着することがない。
【００１４】
ネットの目開き寸法をタイルユニットの縦目地幅の１〜２倍と広くすることにより、縦目地に存在するネット縦糸の数が少なくなり、目地を透してネットが目立つことが防止される。
【００１５】
縦長のネットを左右に間隔をあけて上下方向に延設することにより、タイルユニットの裏面にネットで覆われていないタイル露呈領域が存在することになる。このタイル露呈領域を設けることにより、タイルの壁下地への貼り付け強度が高くなる。
【００１６】
タイルユニットが通し縦目地を有する場合、ネットが縦目地を跨ぐように設け、左右の両側のタイル同士を連結するのが好ましい。この場合、ネットの縦糸が縦目地と重ならないようにすることにより、縦目地を透してネットの縦糸が見えないようになり、美観が向上する。
【００１７】
ネットの糸の太さを０．２ｍｍ以上とすることにより、タイルユニットのコシが強くなる。また、ネットの糸の太さを０．４ｍｍ以下とすることにより、タイルユニットの壁下地への貼り付け強度を高くすることができる。また、ネットが目立ちにくいものとなる。
【図面の簡単な説明】
【００１８】
【図１】実施の形態に係るタイルユニットの裏面図である。
【図２】ネットの説明図である。
【図３】別の実施の形態に係るタイルユニットの裏面図である。
【図４】さらに別の実施の形態に係るタイルユニットの裏面図である。
【発明を実施するための形態】
【００１９】
以下、図面を参照して実施の形態について説明する。図１，２は第１の実施の形態に係るタイルユニット１を説明するものであり、図１の通り、複数枚の方形の陶磁器製タイル２が整列配置され、ネット３，４によって連結されている。この実施の形態では、タイル２は短辺が１０〜１００ｍｍ特に２０〜５０ｍｍ程度であり、長辺が短辺の２〜２０倍の長方形状であるが、一辺が２５〜１００ｍｍ特に５０〜７５ｍｍ程度の正方形であってもよい。タイル２の厚さは、５〜２０ｍｍ特に７〜１５ｍｍ程度が好ましい。
【００２０】
目地は、この実施の形態では縦横共に通し目地となっている。即ち、縦目地はタイルユニット１の上辺から下辺にまで一直線状に延在し、横目地はタイルユニット１の左辺から右辺にまで一直線状に延在している。目地幅は２〜８ｍｍ特に３〜５ｍｍ程度が好適である。１個のタイルユニット１を構成するタイル２の枚数は６〜３６枚特に１４〜１８枚程度が好ましい。
【００２１】
ネット３，４は、合成樹脂製の縦糸３ａと横糸３ｂとからなるものであり、好ましくはポリプロピレン、ナイロン、ポリエステル、ビニロン、アクリル、ポリエチレン、アラミドなどの、比較的低耐熱性ではあるが、耐候性に優れ、しかも安価な合成樹脂よりなる。ネット３，４は横幅が異なること以外は全く同一の構成のものである。ネット３は、タイル２，２の縦目地に跨って上下方向に延在している。ネット４は、タイルユニット１の左辺及び右辺に沿って延在している。ネット３の横幅は、縦目地の３〜１０倍、特に４〜６倍程度が好適である。ネット４の横幅は、ネット３の横幅の約１／２程度（例えば４０〜６０％）が好適である。
【００２２】
ネット３，４を構成する縦糸３ａ及び横糸の径は０．２〜０．４ｍｍ程度が好適である。この糸径が小さすぎると、ネット３，４の剛性（いわゆるコシ）が低くなり、タイルユニット１を吊り下げて所持したときに下段側のタイル２が左右に揺れ動き易くなる。糸径が大き過ぎると、空目地施工（目地詰めしないタイル張り）としたときに目地を透してネットの糸が目立つおそれがある。また、タイルユニット１を壁面に張り付ける際のタイル裏面と壁下地面との間隔が過大となり、接着剤使用量が多くなったり、タイルの接着強度が低下するおそれがある。
【００２３】
ネット３，４の目開き寸法はタイルユニット１の縦目地の目地幅の１〜２倍程度が好適である。このように目開き寸法を縦目地幅以上とすることにより、縦目地間に存在するネットの縦糸の数を少なくすることができ、縦目地に存在する縦糸の数をゼロとすることもできる。一般に、縦目地に表われる縦糸は目立ち易いために、縦目地に縦糸が全く又は殆ど現われないようにすると、空目地タイル張りの仕上り美観が向上する。
【００２４】
ネット３，４をタイル２に接着するための接着剤としては、融点が１００℃以下好ましくは５０〜１００℃の低融点反応性ホットメルト接着剤を用いる。反応性ホットメルト接着剤としては、湿気硬化型のものなどが好適である。反応性ホットメルト接着剤をタイル２の裏面に塗布しておいてもよく、ネット３，４に付着させておいてもよく、タイルにネットを重ね、その上から塗布してもよい。
【００２５】
この反応性ホットメルト接着剤を用いたことにより、タイルユニット製品が運搬、保管中に日照などにより高温になっても、タイル２がネット３，４から剥れたり、ブロッキングしてタイルユニット１同士が付着したりすることが防止される。
【００２６】
上記実施の形態では、タイル２を枡目状に配列しているが、馬踏み状などの配列としてもよい。
【００２７】
本発明では、タイルとして図３，４のように細長いものを用いてもよい。図３のタイルユニット５では、細長いタイル６を最上段側から奇数番目のものは右側に寄せ、偶数番目のものは左側に寄せた配列としている。ネット７はタイルユニット５の左端側及び右端側に縦長に付着されている。
【００２８】
図４のタイルユニット８は、細長い棒状の同一長さのタイル９を複数本（この実施の形態では６本）平行に揃え、ネット１０を裏面に接着して連結し一体化したものである。最上段（第１段）のタイル９に対し、第２，３段目のタイル９を少しずつ右側にシフトさせ、第４段目のタイル９を逆に最も左側に配置し、第５，６段目のタイル９を少しずつ右側にシフトさせている。ネット１０は、左端側、右端側及び中央部に縦長に配置されている。
【００２９】
本発明のタイルユニットは、好ましくは接着剤によって壁下地に接着され、目地詰めしない空目地仕上げとするようにして施工される。
【００３０】
上記実施の形態はいずれも本発明の一例であり、本発明は図示以外の形態とされてもよい。例えば、ネットの枚数や幅は上記以外とされてもよい。
【符号の説明】
【００３１】
１，５，８  タイルユニット
２，６，９  タイル
３，４，７，１０  ネット
【図１】
2013028996.tif 000003
【図２】
2013028996.tif 000004
【図３】
2013028996.tif 000005
【図４】
2013028996.tif 000006